(57)【要約】【課題】  テレビジョン受信機が動作中の電磁妨害を低減し、消費電力を抑えたスタンバイ電源回路を提供する。【解決手段】  スタンバイ電源回路（５０）には、ＡＣラインに接続したスイッチ（１００）が接続されている。スイッチ（１００）は、主電源回路（６０）から所定の距離離れた位置に設けられている。テレビジョン受信機が動作中、スイッチ（１００）によって、ＡＣライン（１１０）を、スタンバイ電源回路（５０）から切り離し、主電源装置（６０）に接続することにより、スタンバイ電源回路（５０）が発生する電磁妨害を低減する。
2006508613.tif 000002
【特許請求の範囲】
【請求項１】
主電源回路と、
スタンバイ電源回路と、
ＡＣラインに接続された少なくとも１つのスイッチとを備え、
上記スイッチは、上記スタンバイ電源回路と上記主電源回路との間に設けられていることを特徴とするテレビジョン受信機。
【請求項２】
上記スイッチは、上記スタンバイ電源回路に上記ＡＣラインを接続することを特徴とする請求項１に記載のテレビジョン受信機。
【請求項３】
上記スイッチは、上記主電源回路に上記ＡＣラインを接続することを特徴とする請求項１に記載のテレビジョン受信機。
【請求項４】
上記スイッチは、上記主電源回路から上記ＡＣラインを切り離すことを特徴とする請求項２に記載のテレビジョン受信機。
【請求項５】
上記スイッチは、上記スタンバイ電源回路から上記ＡＣラインを切り離すことを特徴とする請求項３記載のテレビジョン受信機。
【請求項６】
主電源回路と、スタンバイ電源回路と、ＡＣラインとを備えるテレビジョン受信機における電磁妨害を低減する電磁妨害の低減方法において、
上記主電源回路と上記スタンバイ電源回路との間に、上記ＡＣラインに接続された少なくとも１つのスイッチを設けるステップを有する電磁妨害の低減方法。
【請求項７】
上記スイッチによって、上記スタンバイ電源回路から上記ＡＣラインを切り離すステップをさらに有する請求項６記載の電磁妨害の低減方法。
【請求項８】
上記ＡＣラインを切り離すステップは、上記スイッチによって、上記主電源回路に上記ＡＣラインを接続するステップを含むことを特徴とする請求項７記載の電磁妨害の低減方法。
【請求項９】
上記ＡＣラインを接続するステップは、上記主電源回路に上記ＡＣラインをタイミングを取って接続するステップを含むことを特徴とする請求項８記載の電磁妨害の低減方法。
【請求項１０】
上記タイミングを取るステップは、上記主電源回路に上記ＡＣラインを接続した後、上記スタンバイ電源回路から該ＡＣラインを切り離すことを特徴とする請求項９記載の電磁妨害の低減方法。
【請求項１１】
上記スイッチによって、上記主電源回路から上記ＡＣラインを切り離すステップをさらに有することを特徴とする請求項６記載の電磁妨害の低減方法。
【請求項１２】
上記ＡＣラインを切り離すステップは、上記スイッチによって、上記スタンバイ電源回路に上記ＡＣラインを接続するステップを有することを特徴とする請求項１１記載の電磁妨害の低減方法。
【請求項１３】
上記ＡＣラインを接続するステップは、上記スタンバイ電源回路に上記ＡＣラインをタイミングを取って接続するステップを有することを特徴とする請求項１２記載の電磁妨害の低減方法。
【請求項１４】
上記タイミングを取るステップは、上記スタンバイ電源回路に上記ＡＣラインを接続した後、上記主電源回路から該ＡＣラインを切り離すことを特徴とする請求項１３記載の電磁妨害方法。
【請求項１５】
電磁妨害の低減装置において、
上記スタンバイ電源回路と、
上記ＡＣラインに接続された少なくとも１つのスイッチとを備え、
上記スイッチは、上記スタンバイ電源回路から所定の距離離れた位置に設けられていることを特徴とする電磁妨害の低減装置。
【発明の詳細な説明】
【技術分野】
【０００１】
本発明は、一般的には電源回路に関する。より詳しくは、本発明は、電磁妨害の低減方法及びその方法を用いたテレビジョン受信機に関する。
【関連出願】
【０００２】
米国特許出願番号１０／００７，９２５、ジョン・リベラ（John Libera）、発明の名称「マイクロ電源のスタンバイモード（Micro-power Stand-By Mode）」は、引用することにより、本願に援用される。
【著作権の表示】
【０００３】
本願明細書の一部の開示は、著作権保護の対象となる内容を含んでいる。著作権者は、本願明細書又は開示内容の複製が特許商標庁の特許ファイル又は記録と同じものである場合には、異議を申し立てないが、それ以外の場合には、全ての著作権を留保する。
【背景技術】
【０００４】
電子機器は、その電子機器を連続して動作させる電源回路を備えている。例えば、テレビジョン受信機は、テレビジョン放送、ケーブルテレビジョン放送及び衛星放送の信号を受信して、ユーザに表示するための電力を供給する電源回路を備えている。多くの電子機器は、そのような電子機器を起動するための電力を供給するスタンバイモードを有する。例えば、現代のテレビジョン受信機は、電源オフモード時に、そのテレビジョン受信機を時々起動して動作させるために、低消費電力のスタンバイ電源回路を備えている。
【０００５】
スタンバイ電源回路は、リモートコントローラによっていつでも電源をオンにできるように、マイクロコントローラ及び赤外線受信機に電力を供給している。一方、「スタンバイ電源」という用語は、スタンバイ電源回路が、テレビジョン受信機の電源がオンになっているときでも停止せず、すなわち電源が入っている状態においても完全に動作し、電力をマイクロコントローラ及び他のデジタル回路に供給し続けていることを意味している。スタンバイ電源回路は、本質的には、電源オンと電源オフの両モードにおいて、連続して電力を電子機器に供給している。
【０００６】
スタンバイ電源回路は、約１又は２ワットの出力電力しか発生しないが、不相応に多い電磁妨害（electro-magnetic interference：ＥＭＩ）となる電磁波を放射する。スタンバイ電源回路からのＥＭＩの電磁波は、１つ以上の雑音源及び干渉源となり、その高調波成分は、偏向回路や他の回路からの電磁波だけでなく、主電源回路からの電磁波と混合する。高感度の回路の近くに２つ以上の電源回路を設けると、重大な干渉の問題が発生し、例えばビートノイズが発生し、テレビジョン受信機の画質が低下する。これに対する対策は難しく、また費用がかかる。より高画質という要求及び消費電力の規制が厳しくなるに伴い、電子機器の原価を増やすことなく、消費電力を抑え、ＥＭＩを減らすことが望ましい。
【発明の開示】
【発明が解決しようとする課題】
【０００７】
本発明は、上述の問題を鑑みてなされたものであり、テレビジョン受信機の動作中において、消費電力を抑え、ＥＭＩを低減するスタンバイ電源回路を提供することを目的とする。
【発明を解決するための手段】
【０００８】
特に、一実施形態において、スタンバイ電源回路は、ＡＣラインに接続されたスイッチに接続されおり、そのスイッチは、主電源回路から所定の距離離れた位置に設けられている。一実施形態において、テレビジョン受信機の動作中、スタンバイ電源回路が発生する電磁妨害を低減する電磁妨害の低減方法では、電源オンモード時に、スイッチによって、スタンバイ電源回路からＡＣラインを切り離し、主電源回路にＡＣラインを接続する。
【０００９】
更なる実施形態においては、主電源回路にＡＣラインを接続し、スタンバイ電源回路からＡＣラインを切り離す適切なタイミングを図るスタンバイ電源回路スイッチと主電源回路スイッチを設ける。これにより、電磁妨害を無くし、消費電力を費用効率良く下げることを保証する。
【００１０】
本発明の他の特徴及び効果は、以下の発明を実施するための最良の形態及び図面によって明らかである。
【発明を実施するための最良の形態】
【００１１】
以下、本発明を特定の実施形態を用いて説明するが、この実施形態は、本発明の主旨及び範囲を逸脱することなく、様々に変える及び変更できることは、明らかである。特許請求の範囲は、以下に説明する実施形態及びそれと等価なものにも及ぶと解釈されるべきである。
【００１２】
図１は、本発明に係るテレビジョン受信機の要部の回路（以下、テレビジョン受信機回路という。）の構成を示すブロック図である。テレビジョン受信機回路２００は、スタンバイ電源回路５０と、主電源回路６０とを備える。また、テレビジョン受信機回路２００は、ＡＣライン１１０に接続された少なくとも１つのスイッチ１００を備える。スイッチ１００は、スタンバイ電源回路５０と主電源回路６０との間に設けられている。スイッチ１００は、スタンバイ電源回路５０及び／又は主電源回路６０にＡＣライン１１０を接続する。また、スイッチ１００は、スタンバイ電源回路５０及び／又は主電源回路６０からＡＣライン１１０を切り離す。スタンバイ電源回路５０は、リレー５４に電気的に接続されたマイクロコントローラ５２を備える。また、マイクロコントローラ５２は、リレー５４を介してスイッチ１００に電気的に接続している。
【００１３】
このテレビジョン受信機回路２００は、テレビジョン受信機（図示せず）が動作している間は、テレビジョン受信機内の電磁妨害を低減するために、スタンバイ電源回路５０とスイッチ１００を備えている。テレビジョン受信機が動作しているときには、スタンバイ電源回路５０が発生する、電磁妨害となる電磁波を無くすために、スイッチ１００によって、スタンバイ電源回路５０からＡＣライン１１０を切り離している。一実施形態において、スタンバイ電源回路５０からＡＣライン１１０を切り離すことは、スイッチ１００によって、主電源回路６０にＡＣライン１１０を接続することを含んでいる。テレビジョン受信機の動作が一旦終了すると、最早スタンバイ電源回路５０が発生する電磁妨害を低減する必要はないので、ＡＣライン１１０をスイッチ１００によって、主電源回路６０から切り離し、スタンバイ電源回路５０に接続する。
【００１４】
他の実施形態において、テレビジョン受信機回路２００は、電磁妨害の低減装置の一部を構成しており、この低減装置は、スタンバイ電源回路５０と、ＡＣライン１１０に接続された少なくとも１つのスイッチ１００とを備えている。スイッチ１００は、スタンバイ電源回路５０から所定の距離（図示せず）離れた位置に設けられているとともに、主電源回路６０から所定の距離１２０離れた位置に設けられている。また、スイッチ１００は、マイクロコントローラ５２と電気的に繋がっており、ＡＣライン１１０と主電源回路６０及び／又はスタンバイ電源回路５０との間の接続をそれぞれ形成することによって、主電源回路６０及び／又はスタンバイ電源回路５０を動作させる。
【００１５】
図２は、スタンバイ電源回路５０と主電源回路６０とからなる他の実施形態の動作を示すタイミングチャートである。更なる実施形態において、スイッチ１００（図１に示す）は、スタンバイ電源回路スイッチ（図示せず）と主電源回路スイッチ（図示せず）とを備えている。。この更なる実施形態において、マイクロコントローラ５２（図１に示す）は、電源オン動作期間２５２中に、スタンバイ電源回路スイッチを動かす。すなわち、スタンバイ電源回路スイッチは、電源オン動作期間２５２中に開き、スタンバイ電源回路５０からＡＣライン１１０（図１に示す）を切り離す。さらに、マイクロコントローラ５２は、主電源回路スイッチを動かし、主電源回路スイッチは閉じ、主電源回路６０にＡＣライン１１０を接続する。
【００１６】
スタンバイ動作期間２５４中に、マイクロコントローラ５２は、主電源回路スイッチを動かし、主電源回路スイッチは開き、ＡＣライン１１０を主電源回路６０から切り離す。さらに、マイクロコントローラ５２は、スタンバイ電源回路スイッチを動かし、スタンバイ電源回路スイッチは閉じ、スタンバイ電源回路５０にＡＣライン１１０を接続する。
【００１７】
テレビジョン受信機が動作中、スタンバイ電源回路５０が発生する電磁妨害は、主電源回路６０にＡＣライン１１０を接続するタイミングと、主電源回路６０にＡＣライン１１０を接続した後にスタンバイ電源回路５０からＡＣライン１１０を切り離すタイミングとを調整することによって、低減される。テレビジョン受信機の動作が一旦終了すると、最早スタンバイ電源回路５０が発生する電磁妨害を低減する必要はなく、スタンバイ電源回路５０にＡＣライン１１０を接続するタイミングと、スタンバイ電源回路５０にＡＣライン１１０を接続した後に主電源回路６０からＡＣライン１１０を切り離すタイミングによって、スタンバイ動作期間２５４は定まる。
【００１８】
上述した実施形態に、本発明の主旨及び範囲を逸脱することなく、様々な変更及び修正を加えることができることは、当業者にとって明らかである。特定の実施形態を用いて本発明を説明したが、本発明は、この特定の実施形態によって、不必要に限定されるべきではないことは明らかである。
【図面の簡単な説明】
【００１９】
【図１】本発明を適用した、スタンバイ電源回路と、主電源回路と、ＡＣラインに接続されたスイッチとを備えるテレビジョン受信機の構成を示す回路図である。
【図２】図１に示すテレビジョン受信機の主電源回路及びスタンバイ電源回路の動作を示すタイムチャートである。
【図１】
2006508613.tif 000003
【図２】
2006508613.tif 000004
【国際調査報告】
2006508613.tif 000005